(57)【要約】【課題】トナーカートリッジをドラムユニットに容易に装着できるプロセスカートリッジを提供する。【解決手段】  プロセスカートリッジ１は、ドラムユニット２と、ドラムユニット２に対して装着可能なトナーカートリッジ３とを備える。ドラムユニット２は、感光ドラム４と、廃トナー排出口８を有する廃トナー搬送管７とを備える。トナーカートリッジ３は、廃トナー受入口１１を有する廃トナー収容室１０を有する。トナーカートリッジ３は、トナーカートリッジ３がドラムユニット２に装着された状態で、廃トナー受入口１１が廃トナー排出口８から離れている第１位置と、廃トナー受入口１１が廃トナー排出口８に近接している第２位置との間を、ドラムユニット２に対して回動する。【選択図】図１
2019008064.tif 000002
【特許請求の範囲】
【請求項１】
感光ドラムと、現像ローラと、前記感光ドラムからトナーを除去するように構成されるドラムクリーナーと、廃トナー排出口を有し、前記ドラムクリーナーによって前記感光ドラムから除去されたトナーを搬送するための廃トナー搬送管と、を含むドラムユニットと、
前記ドラムユニットに対して装着可能なトナーカートリッジであって、前記現像ローラに供給されるトナーを収容するためのトナー収容室と、前記ドラムクリーナーによって前記感光ドラムから除去されたトナーを収容するための廃トナー収容室と、廃トナー受入口と、を有するトナーカートリッジと、を備え、
前記トナーカートリッジは、前記トナーカートリッジが前記ドラムユニットに装着された状態で、前記廃トナー受入口が前記廃トナー排出口から離れている第１位置と、前記トナーカートリッジが前記ドラムユニットに装着された状態で、前記廃トナー収容室の内部空間と前記廃トナー搬送管の内部空間とが前記廃トナー排出口と前記廃トナー受入口とを介して通じる第２位置との間を、前記ドラムユニットに対して回動するように構成されていることを特徴とする、プロセスカートリッジ。
【請求項２】
前記ドラムユニットは、前記廃トナー排出口を開放する開位置と、前記廃トナー排出口を閉鎖する閉位置との間を移動可能な第１シャッターを有し、
前記トナーカートリッジは、前記廃トナー受入口を開放する開位置と、前記廃トナー受入口を閉鎖する閉位置との間を移動可能な第２シャッターを有し、
前記第１シャッターは、前記トナーカートリッジが前記第１位置に位置するときに、前記閉位置に位置し、前記トナーカートリッジが前記第２位置に位置するときに、前記開位置に位置し、前記トナーカートリッジが前記第１位置から前記第２位置に回動するときに、前記トナーカートリッジと当たることにより、前記閉位置から前記開位置へ移動し、
前記第２シャッターは、前記トナーカートリッジが前記第１位置に位置するときに、前記閉位置に位置し、前記トナーカートリッジが前記第２位置に位置するときに、前記開位置に位置し、前記トナーカートリッジが前記第１位置から前記第２位置に回動するときに、前記廃トナー搬送管と当たることにより、前記閉位置から前記開位置へ移動することを特徴とする、請求項１に記載のプロセスカートリッジ。
【請求項３】
前記第１シャッターは、前記トナーカートリッジが前記第１位置から前記第２位置に回動するときに、前記トナーカートリッジと当たる第１突起を有し、
前記第２シャッターは、前記トナーカートリッジが前記第１位置から前記第２位置に回動するときに、前記廃トナー搬送管と当たる第２突起を有することを特徴とする、請求項２に記載のプロセスカートリッジ。
【請求項４】
前記第１シャッターは、開口を有する筒部と、前記筒部から突出する前記第１突起とを有し、
前記トナーカートリッジが前記ドラムユニットに装着され、前記トナーカートリッジ３が前記第２位置に位置した状態で、前記廃トナー搬送管の内部空間と前記廃トナー収容室の内部空間とは、前記廃トナー排出口および前記開口を介して通じ、前記トナーカートリッジが前記第２位置から前記第１位置に回動したときに、前記開口が前記廃トナー排出口と異なる位置に位置することにより、前記廃トナー搬送管の内部空間と前記廃トナー収容室の内部空間とは、通じないことを特徴とする、請求項３に記載のプロセスカートリッジ。
【請求項５】
前記トナーカートリッジは、トナー排出口を有し、
前記ドラムユニットは、トナー受入口と、前記現像ローラを収容する現像部とを有し、
前記現像部の内部空間と前記トナー収容室の内部空間とは、前記トナーカートリッジが前記ドラムユニットに装着されているときに、前記トナー受入口と前記トナー排出口とを介して通じていることを特徴とする、請求項１から請求項４のいずれか一項に記載のプロセスカートリッジ。
【請求項６】
前記ドラムユニットは、前記感光ドラムおよび前記現像部を支持するフレームを有し、
前記トナー受入口は、前記フレームに設けられることを特徴とする、請求項５に記載のプロセスカートリッジ。
【請求項７】
前記現像部は、前記感光ドラムおよび前記フレームに対して移動可能であることを特徴とする、請求項６に記載のプロセスカートリッジ。
【請求項８】
前記ドラムユニットは、前記現像ローラを収容する現像部を有し、
前記現像部は、前記トナーカートリッジが前記ドラムユニットに装着されているときに、前記トナーカートリッジに接続されることを特徴とする、請求項１から請求項５のいずれか一項に記載のプロセスカートリッジ。
【請求項９】
前記トナーカートリッジは、前記トナー収容室から突出し、前記現像部に接続する接続部を有することを特徴とする請求項８に記載のプロセスカートリッジ。
【請求項１０】
前記ドラムユニットは、前記感光ドラムおよび前記現像部を支持するフレームであって、前記廃トナー搬送管を支持する第１側板と、前記感光ドラムの回転軸線が延びる方向である軸線方向において前記第１側板に対して間隔を隔てて位置する第２側板とを有するフレームを有し、
前記廃トナー排出口は、前記軸線方向において、前記第１側板と前記第２側板との間に位置することを特徴とする、請求項５から請求項９のいずれか一項に記載のプロセスカートリッジ。
【請求項１１】
前記ドラムユニットは、トナー受入口を有し、
前記廃トナー排出口は、前記軸線方向において、前記第２側板に対して、前記第１側板の近くに位置し、
前記トナー受入口も、前記軸線方向において、前記第２側板に対して、前記第１側板の近くに位置することを特徴とする、請求項１０に記載のプロセスカートリッジ。
【請求項１２】
前記トナー受入口の少なくとも一部は、前記軸線方向と直交する方向から見て、前記廃トナー排出口と重なることを特徴とする、請求項１１に記載のプロセスカートリッジ。
【請求項１３】
前記ドラムユニットは、トナー受入口を有し、
前記廃トナー排出口は、前記軸線方向において、前記第２側板に対して、前記第１側板の近くに位置し、
前記トナー受入口は、前記軸線方向において、前記第１側板に対して、前記第２側板の近くに位置することを特徴とする、請求項１０に記載のプロセスカートリッジ。
【請求項１４】
前記ドラムユニットは、トナー受入口と、前記現像ローラを収容する現像部とを有し、
前記廃トナー排出口は、前記トナーカートリッジが前記ドラムユニットに装着された状態で、前記トナー受入口よりも下方、かつ、前記現像部と前記トナー収容室との間に位置することを特徴とする、請求項１から請求項１３のいずれか一項に記載のプロセスカートリッジ。
【請求項１５】
前記トナーカートリッジが前記ドラムユニットに装着されている状態において、前記トナーカートリッジの回動中心から前記廃トナー受入口までの距離は、前記回動中心から前記廃トナー排出口までの距離よりも長いことを特徴とする、請求項１から請求項１４のいずれか一項に記載のプロセスカートリッジ。
【発明の詳細な説明】
【技術分野】
【０００１】
本発明は、プロセスカートリッジに関する。
【背景技術】
【０００２】
従来、感光体を有する感光体ユニットと、感光体ユニットに装着可能なトナーカートリッジとを備えるプロセスカートリッジが知られている（下記特許文献１参照。）。
【０００３】
感光体ユニットは、現像部と、感光体をクリーニングするクリーナーと、廃トナー搬送管とを有する。トナーカートリッジは、トナー収容室と、廃トナー収容室とを有する。トナーカートリッジは、感光体ユニットに対して直線的に近づいて、感光体ユニットに装着される。このとき、現像部とトナー収容室とが連結されるとともに、廃トナー搬送管と廃トナー収容室とが連結される。
【先行技術文献】
【特許文献】
【０００４】
【特許文献１】特開２００３−６６８１５号公報
【発明の概要】
【発明が解決しようとする課題】
【０００５】
しかし、上記特許文献１に記載されるプロセスカートリッジでは、トナーカートリッジを感光体ユニットに装着するときに、廃トナー搬送管と廃トナー収容室とを連結する必要がある。そのため、トナーカートリッジと感光体ユニットとの位置合わせが難しく、トナーカートリッジを感光体ユニットに装着するときの作業性が劣る。
【０００６】
そこで、本開示の目的は、トナーカートリッジをドラムユニットに容易に装着できるプロセスカートリッジを提供することにある。
【課題を解決するための手段】
【０００７】
本発明のプロセスカートリッジは、ドラムユニットと、トナーカートリッジとを備える。ドラムユニットは、感光ドラムと、現像ローラと、ドラムクリーナーと、ドラムクリーナーによって感光ドラムから除去されたトナーを搬送するための廃トナー搬送管とを含む。ドラムクリーナーは、感光ドラムからトナーを除去するように構成される。廃トナー搬送管は、廃トナー排出口を有する。
【０００８】
トナーカートリッジは、ドラムユニットに対して装着可能である。トナーカートリッジは、トナー収容室と、廃トナー収容室と、廃トナー受入口とを有する。トナー収容室は、現像ローラに供給されるトナーを収容する。廃トナー収容室は、ドラムクリーナーによって感光ドラムから除去されたトナーを収容する。
【０００９】
トナーカートリッジは、トナーカートリッジがドラムユニットに装着された状態で、廃トナー受入口が廃トナー排出口から離れている第１位置と、トナーカートリッジがドラムユニットに装着された状態で、廃トナー収容室の内部空間と廃トナー搬送管の内部空間とが廃トナー排出口と廃トナー受入口とを介して通じる第２位置との間を、ドラムユニットに対して回動するように構成されている。
【００１０】
このような構成によれば、ユーザーは、トナーカートリッジをドラムユニットに装着した状態で、トナーカートリッジをドラムユニットに対して回動させて、廃トナー搬送管と廃トナー収容室とを接続することができる。
【００１１】
そのため、ドラムユニットに対するトナーカートリッジの回動中心を固定した状態で、廃トナー搬送管と廃トナー収容室とを容易に位置合わせすることができる。
【００１２】
その結果、トナーカートリッジをドラムユニットに容易に装着できる。
【発明の効果】
【００１３】
本発明のプロセスカートリッジによれば、トナーカートリッジを感光体ユニットに容易に装着できる。
【図面の簡単な説明】
【００１４】
【図１】図１Ａは、本発明のプロセスカートリッジの概略を説明するための説明図であって、トナーカートリッジがドラムユニットに装着され、トナーカートリッジが第２位置に位置する状態を示す。図１Ｂは、図１Ａとともに、本発明のプロセスカートリッジの概略を説明するための説明図であって、トナーカートリッジがドラムユニットに装着され、トナーカートリッジが第１位置に位置する状態を示す。
【図２】図２は、第１実施形態のドラムユニットを示し、図３のＡ−Ａ線に相当する断面図である。
【図３】図３は、図２に示すドラムユニットの平面図である。
【図４】図４は、第１実施形態のトナーカートリッジを示し、図５のＢ−Ｂ線に相当する断面図である。
【図５】図５は、図４に示すトナーカートリッジの平面図である。
【図６】図６は、第１実施形態におけるトナーカートリッジのドラムユニットに対する装着を説明する説明図であって、トナーカートリッジがドラムユニットに装着され、トナーカートリッジが第１位置に位置する状態を示す。
【図７】図７は、図６とともに、第１実施形態におけるトナーカートリッジのドラムユニットに対する装着を説明する説明図であって、トナーカートリッジがドラムユニットに装着され、トナーカートリッジが第２位置に位置する状態を示す。
【図８】図８は、図７に示すプロセスカートリッジの使用態様を説明する説明図である。
【図９】図９Ａは、第２実施形態のドラムユニットを示す平面図である。図９Ｂは、第２実施形態のトナーカートリッジを示す平面図である。
【図１０】図１０Ａは、第２実施形態におけるトナーカートリッジのドラムユニットに対する装着を説明する説明図であって、トナーカートリッジがドラムユニットに装着され、トナーカートリッジが第１位置に位置する状態を示す。図１０Ｂは、図１０Ａとともに、第２実施形態におけるトナーカートリッジのドラムユニットに対する装着を説明する説明図であって、トナーカートリッジがドラムユニットに装着され、トナーカートリッジが第２位置に位置する状態を示す。
【図１１】図１１Ａは、第２実施形態における第１シャッターを説明する説明図であって、第１シャッターが閉位置に位置する状態を示す。図１１Ｂは、図１１Ａとともに、第２実施形態における第１シャッターを説明する説明図であって、第１シャッターが開位置に位置する状態を示す。
【発明を実施するための形態】
【００１５】
１．プロセスカートリッジ１の概略
図１Ａおよび図１Ｂを参照して、プロセスカートリッジ１の概略について説明する。
【００１６】
プロセスカートリッジ１は、ドラムユニット２と、トナーカートリッジ３とを備える。
【００１７】
１．１  ドラムユニット２
ドラムユニット２は、感光ドラム４と、現像ローラ５と、ドラムクリーナー６と、廃トナー搬送管７とを備える。
【００１８】
１．１．１  感光ドラム４
感光ドラム４は、表面にトナー像が形成されるように構成される。感光ドラム４は、軸線方向に延びるドラム軸Ａ１について回転可能である。ドラム軸Ａ１は、感光ドラム４の回転軸線である。
【００１９】
１．１．２  現像ローラ５
現像ローラ５は、感光ドラム４にトナーを供給するように構成される。現像ローラ５は、感光ドラム４の表面に接触する。なお、現像ローラ５は、感光ドラム４の周面に対して、スペースを空けて近接してもよい。現像ローラ５は、軸線方向に延びる現像ローラ軸Ａ２について回転可能である。
【００２０】
１．１．３  ドラムクリーナー６
ドラムクリーナー６は、感光ドラム４からトナーを除去するように構成される。感光ドラム４から除去されたトナーは、ドラムクリーナー６内に溜まる。なお、ドラムクリーナー６の具体的な構造については、後で詳しく説明する。
【００２１】
１．１．４  廃トナー搬送管７
廃トナー搬送管７は、ドラムクリーナー６によって感光ドラム４から除去されたトナーを搬送するための管である。廃トナー搬送管７は、トナーカートリッジ３がドラムユニット２に装着され、トナーカートリッジ３が後述する第２位置に位置する状態（図１Ａ参照）で、ドラムクリーナー６から後述する廃トナー収容室１０に搬送されるトナーの通過を、許容する。廃トナー搬送管７は、一端と、他端とを有する。一端は、ドラムクリーナー６に接続される。他端は、トナーカートリッジ３がドラムユニット２に装着され、トナーカートリッジ３が第２位置に位置する状態で、廃トナー収容室１０に接続される。なお、廃トナー搬送管７の具体的な構造については、後で詳しく説明する。廃トナー搬送管７は、廃トナー排出口８を有する。
【００２２】
廃トナー排出口８は、トナーカートリッジ３がドラムユニット２に装着され、トナーカートリッジ３が第２位置に位置する状態で、廃トナー搬送管７内のトナーを排出可能である。廃トナー排出口８は、廃トナー搬送管７の他端に位置する。廃トナー排出口８は、四角形である。
【００２３】
１．２  トナーカートリッジ３
トナーカートリッジ３は、ドラムユニット２に対して装着可能である。トナーカートリッジ３は、トナーカートリッジ３がドラムユニット２に装着された状態で、廃トナー受入口１１が廃トナー排出口８から離れている第１位置（図１Ｂ参照）と、トナーカートリッジ３がドラムユニット２に装着された状態で、廃トナー収容室１０の内部空間と廃トナー搬送管７の内部空間とが廃トナー排出口８と廃トナー受入口１１とを介して通じる第２位置（図１Ａ参照）との間を、ドラムユニット２に対して回動するように構成されている。なお、トナーカートリッジ３は、第１位置に位置する状態で、ドラムユニット２から離脱可能である。トナーカートリッジ３は、トナー収容室９と、廃トナー収容室１０と、廃トナー受入口１１とを有する。トナーカートリッジ３は、トナー収容室９と廃トナー収容室１０とに仕切られている。
【００２４】
１．２．１  トナー収容室９
トナー収容室９は、現像ローラ５に供給されるトナーを収容する。
【００２５】
１．２．２  廃トナー収容室１０
廃トナー収容室１０は、ドラムクリーナー６によって感光ドラム４から除去されたトナーを収容する。廃トナー収容室１０は、トナー収容室９と通じない。
【００２６】
１．２．３  廃トナー受入口１１
廃トナー受入口１１は、トナーカートリッジ３がドラムユニット２に装着され、トナーカートリッジ３が第２位置に位置する状態で、廃トナー排出口８から排出されたトナーを受け入れ可能である。廃トナー受入口１１は、廃トナー収容室１０の内部空間と通じる。また、廃トナー受入口１１は、トナーカートリッジ３がドラムユニット２に装着され、トナーカートリッジ３が第２位置に位置する状態で、廃トナー排出口８と通じる。これにより、トナーカートリッジ３がドラムユニット２に装着され、トナーカートリッジ３が第２位置に位置する状態で、廃トナー収容室１０の内部空間と廃トナー搬送管７の内部空間とは、廃トナー排出口８と廃トナー受入口１１とを介して通じる。トナーカートリッジ３がドラムユニット２に装着され、トナーカートリッジ３が第２位置に位置する状態で、ドラムクリーナー６によって感光ドラム４から除去されたトナーは、廃トナー搬送管７内を通って、廃トナー受入口１１および廃トナー排出口８を介して、廃トナー収容室１０に収容される。
【００２７】
２．ドラムユニット２の詳細
図２および図３を参照して、上記したドラムユニット２の詳細について説明する。
【００２８】
図２に示すように、ドラムユニット２は、上記した感光ドラム４と、フレーム２１と、上記した現像ローラ５を収容する現像部２２と、帯電ローラ２３と、上記したドラムクリーナー６と、上記した廃トナー搬送管７（図３参照）と、スクリュー２４（図３参照）と、第１シャッター２５とを備える。
【００２９】
２．１  フレーム２１
フレーム２１は、感光ドラム４、現像部２２、帯電ローラ２３、ドラムクリーナー６、および廃トナー搬送管７を支持する。また、フレーム２１は、トナーカートリッジ３がドラムユニット２に装着され、トナーカートリッジ３が第２位置に位置する状態（図７参照）で、トナーカートリッジ３を支持する。フレーム２１は、図３に示すように、第１側板２１Ａと、第２側板２１Ｂと、連結板２１Ｃと、連結筒２１Ｄと、接続部２６とを有する。
【００３０】
２．１．１  第１側板２１Ａ、第２側板２１Ｂおよび連結板２１Ｃ
第１側板２１Ａは、廃トナー搬送管７を支持する。
【００３１】
第２側板２１Ｂは、軸線方向において、第１側板２１Ａに対して間隔を隔てて位置する。感光ドラム４および現像部２２は、軸線方向において、第１側板２１Ａと第２側板２１Ｂとの間に位置する。
【００３２】
連結板２１Ｃは、軸線方向において、第１側板２１Ａと第２側板２１Ｂとの間に位置する。連結板２１Ｃは、軸線方向に延びる。連結板２１Ｃは、軸線方向において、一端と、他端とを有する。連結板２１Ｃの一端は、第１側板２１Ａに連結される。連結板２１Ｃの他端は、第２側板２１Ｂに連結される。
【００３３】
連結筒２１Ｄは、軸線方向において、第１側板２１Ａと第２側板２１Ｂとの間に位置する。連結筒２１Ｄは、軸線方向に延びる。連結筒２１Ｄは、軸線方向において、一端と、他端とを有する。連結筒２１Ｄの一端は、第１側板２１Ａに連結される。連結筒２１Ｄの他端は、第２側板２１Ｂに連結される。連結筒２１Ｄには、接続部２６が設けられる。
【００３４】
２．１．２  接続部２６
接続部２６には、トナーカートリッジ３がドラムユニット２に装着され、トナーカートリッジ３が第２位置に位置する状態で、トナーカートリッジ３の後述する接続部４１（図７参照）が接続される。接続部２６は、軸線方向において、第１側板２１Ａと第２側板２１Ｂとの間に位置する。接続部２６は、軸線方向において、第２側板２１Ｂに対して、第１側板２１Ａの近くに位置する。図２に示すように、接続部２６は、円弧壁２６Ａと、第１固定部２６Ｂと、図示しない第２固定部と、第１回転部２６Ｃと、図示しない第２回転部と、シャッター２６Ｄとを備える。
【００３５】
２．１．２．１  円弧壁２６Ａ
円弧壁２６Ａは、接続部２６に接続部４１が接続された状態で、後述するトナーカートリッジ３の円筒部４３（図４参照）を受ける。円弧壁２６Ａは、接続部２６に接続部４１が接続された状態で、円筒部４３の周面に沿う。円弧壁２６Ａは、トナー受入口２７を有する。すなわち、トナー受入口２７は、フレーム２１に設けられ、ドラムユニット２は、トナー受入口２７を有する。これにより、トナー受入口２７は、装着されたトナーカートリッジ３に対して移動せず、接続部４１と接続部２６との間からトナーが漏れることを抑制できる。
【００３６】
トナー受入口２７は、接続部２６に接続部４１が接続された状態で、トナー排出口４３Ａ（図４参照）から排出されたトナーを受け入れる。トナー受入口２７は、図３に示すように、軸線方向において、第２側板２１Ｂに対して、第１側板２１Ａの近くに位置する。トナー受入口２７は、軸線方向に延びる。トナー受入口２７は、四角形である。トナー受入口２７は、軸線方向において、一端と、他端とを有する。トナー受入口２７の一端に沿って軸線方向と直交する方向に延びる仮想線Ｌ１と、トナー受入口２７の他端に沿って仮想線Ｌ１と平行に延びる仮想線Ｌ２との間には、廃トナー排出口８が、位置する。すなわち、トナー受入口２７の少なくとも一部は、軸線方向と直交する方向から見て、廃トナー排出口８と重なる。これにより、ユーザーは、トナーカートリッジ３をドラムユニット２に装着するときに、接続部２６および接続部４１の近くで、廃トナー搬送管７と廃トナー収容室１０とを接続することができ、ドラムユニット２に対するトナーカートリッジ３の装着作業を安定に実施することができる。
【００３７】
２．１．２．２  第１固定部２６Ｂおよび第２固定部
図２に示す第１固定部２６Ｂは、トナーカートリッジ３がドラムユニット２に装着され、トナーカートリッジ３が第１位置に位置する状態で、後述するトナーカートリッジ３のシャッター４５（図６参照）をドラムユニット２に対して固定する。第１固定部２６Ｂは、円板形状を有する。第１固定部２６Ｂは、溝２８を有する。溝２８は、第１固定部２６Ｂの径方向に延びる。溝２８には、トナーカートリッジ３がドラムユニット２に装着された状態で、後述するトナーカートリッジ３の第１リブ４８Ａ（図５参照）が嵌まる。これにより、トナーカートリッジ３がドラムユニット２に装着された状態で、トナーカートリッジ３のシャッター４５は、ドラムユニット２に対して回動不可能となる。
【００３８】
図示しない第２固定部は、トナーカートリッジ３がドラムユニット２に装着され、トナーカートリッジ３が第１位置に位置する状態で、第１固定部２６Ｂとともに、シャッター４５（図６参照）をドラムユニット２に対して固定する。第２固定部は、トナーカートリッジ３がドラムユニット２に装着され、トナーカートリッジ３が第１位置に位置する状態で、軸線方向において、シャッター４５に対して、第１固定部２６Ｂの反対側に位置する。第２固定部は、第１固定部と同じ形状を有する。第２固定部の溝には、後述するトナーカートリッジ３の第２リブ４８Ｂ（図５参照）が嵌まる。
【００３９】
２．１．２．３  第１回転部２６Ｃおよび第２回転部
第１回転部２６Ｃは、トナーカートリッジ３がドラムユニット２に装着され、トナーカートリッジ３が第１位置に位置する状態で、後述するトナーカートリッジ３の円筒部４３（図６参照）に対して固定される。第１回転部２６Ｃは、第１固定部２６Ｂを中心として回転可能である。第１回転部２６Ｃは、第１固定部２６Ｂの周囲に位置する。第１回転部２６Ｃは、リング形状を有する。第１回転部２６Ｃは、第１溝２９Ａと、第２溝２９Ｂとを有する。
【００４０】
第１溝２９Ａは、トナーカートリッジ３がドラムユニット２から取り外された状態で、第１固定部２６Ｂの溝２８と、円弧壁２６Ａとの間に位置する。第１溝２９Ａは、トナーカートリッジ３がドラムユニット２から取り外された状態で、第１固定部２６Ｂの溝２８と連続する。第１溝２９Ａには、トナーカートリッジ３がドラムユニット２に装着され、トナーカートリッジ３が第１位置に位置する状態で、トナーカートリッジ３の第１ボス４７Ａ（図５参照）が嵌まる。
【００４１】
第２溝２９Ｂは、トナーカートリッジ３がドラムユニット２から取り外された状態で、第１固定部２６Ｂの溝２８に対して、第１溝２９Ａの反対側に位置する。第２溝２９Ｂは、トナーカートリッジ３がドラムユニット２から取り外された状態で、第１固定部２６Ｂの溝２８と連続する。第２溝２９Ｂには、トナーカートリッジ３がドラムユニット２に装着され、トナーカートリッジ３が第１位置に位置する状態で、トナーカートリッジ３の第２ボス４７Ｂ（図５参照）が嵌まる。第１溝２９Ａにトナーカートリッジ３の第１ボス４７Ａが嵌まり、第２溝２９Ｂにトナーカートリッジ３の第２ボス４７Ｂが嵌まることにより、第１回転部２６Ｃは、円筒部４３に対して固定される。これにより、第１回転部２６Ｃは、トナーカートリッジ３が第１位置と第２位置との間を回動するときに、トナーカートリッジ３とともに回転する。
【００４２】
図示しない第２回転部は、トナーカートリッジ３がドラムユニット２に装着され、トナーカートリッジ３が第１位置に位置する状態で、円筒部４３（図６参照）に対して固定される。第２回転部は、トナーカートリッジ３がドラムユニット２に装着され、トナーカートリッジ３が第１位置に位置する状態で、軸線方向において、円筒部４３に対して、第１回転部２６Ｃの反対側に位置する。第２回転部は、第２固定部の周囲に位置する。第２回転部は、第２固定部を中心として回転可能である。第２回転部は、第１回転部２６Ｃと同じ形状を有する。第２回転部は、第１溝２９Ａと同じ形状を有する第３溝と、第２溝２９Ｂと同じ形状を有する第４溝とを有する。トナーカートリッジ３がドラムユニット２に装着され、トナーカートリッジ３が第１位置に位置する状態で、第３溝にトナーカートリッジ３の第３ボス４７Ｃ（図５参照）が嵌まり、第４溝にトナーカートリッジ３の第４ボス４７Ｄ（図５参照）が嵌まる。これにより、第２回転部は、第１回転部２６Ｃを同様に、トナーカートリッジ３が第１位置と第２位置との間を回動するときに、トナーカートリッジ３とともに回動する。
【００４３】
２．１．２．４  シャッター２６Ｄ
図２に示すシャッター２６Ｄは、トナー受入口２７を開放する開位置（図７参照）と、トナー受入口２７を閉鎖する閉位置（図２参照）との間を移動可能である。シャッター２６Ｄは、円弧壁２６Ａに沿って延びる。また、シャッター２６Ｄは、軸線方向に延びる。シャッター２６Ｄは、板形状を有する。シャッター２６Ｄは、軸線方向において、一端と、他端とを有する。シャッター２６Ｄの一端は、第１回転部２６Ｃに接続される。シャッター２６Ｄの他端は、第２回転部に接続される。これにより、シャッター２６Ｄは、トナーカートリッジ３が第１位置と第２位置との間を回動するときに、第１回転部２６Ｃおよび第２回転部とともに、開位置と閉位置との間を移動する。シャッター２６Ｄは、トナーカートリッジ３が第１位置に位置するときに、閉位置に位置し、トナーカートリッジ３が第２位置に位置するときに、開位置に位置する。
【００４４】
２．２  現像部２２
図２に示す現像部２２は、トナーカートリッジ３がドラムユニット２に装着され、トナーカートリッジ３が第２位置に位置しているとき（図７参照）に、接続部２６を介して、トナーカートリッジ３に接続される。現像部２２には、トナーカートリッジ３がドラムユニット２に装着され、トナーカートリッジ３が第２位置に位置する状態で、トナー収容室９内のトナーが供給される。現像部２２は、トナーカートリッジ３から供給されたトナーを、感光ドラム４に供給するように構成される。現像部２２は、感光ドラム４およびフレーム２１に対して移動可能である。詳しくは、現像部２２は、軸線方向と交差する移動方向Ｍにおいて、感光ドラム４およびフレーム２１に対して移動可能である。好ましくは、移動方向Ｍは、軸線方向と直交する。具体的には、移動方向Ｍは、ドラム軸Ａ１と現像ローラ軸Ａ２とが並ぶ方向である。現像部２２は、現像フレーム３０と、現像ローラ５と、供給ローラ３１と、オーガスクリュー３２Ａと、オーガスクリュー３２Ｂとを備える。
【００４５】
２．２．１  現像フレーム３０
現像フレーム３０は、トナーカートリッジ３から供給されたトナーを収容する。現像フレーム３０は、軸線方向に延びる。現像フレーム３０は、ボックス形状を有する。現像フレーム３０は、開口３０Ａを有する。
【００４６】
開口３０Ａは、トナー受入口２７を通過したトナーを受け入れる。開口３０Ａは、トナー受入口２７と通じる。また、開口３０Ａは、現像フレーム３０の内部空間と通じる。なお、接続部２６と現像フレーム３０との間には、シール部材３３が介在する。シール部材３３は、トナー受入口２７から開口３０Ａへのトナーの流通を許容しつつ、接続部２６と現像フレーム３０との間をシールする。シール部材３３は、トナー受入口２７の周囲に位置するとともに、開口３０Ａの周囲に位置する。
【００４７】
２．２．２  現像ローラ５
現像ローラ５は、現像フレーム３０から露出する。詳しくは、現像ローラ５の一部は、現像フレーム３０から露出する。また、現像ローラ５の他部、すなわち、現像部２２から露出する一部以外の部分は、現像フレーム３０内に収容される。
【００４８】
２．２．３  供給ローラ３１
供給ローラ３１は、現像フレーム３０内のトナーを、現像ローラ５に供給するように構成される。供給ローラ３１は、現像フレーム３０内に位置する。供給ローラ３１は、現像ローラ５の周面に接触する。
【００４９】
２．２．４  オーガスクリュー３２Ａおよびオーガスクリュー３２Ｂ
オーガスクリュー３２Ａは、軸線方向において、現像フレーム３０内のトナーを搬送するように構成される。具体的には、オーガスクリュー３２Ａは、軸線方向において、後述するトナー受入口２７から離れる方向に向かって、現像フレーム３０内のトナーを搬送するように構成される。オーガスクリュー３２Ａは、現像フレーム３０内に位置する。オーガスクリュー３２Ａは、軸線方向に延びる。オーガスクリュー３２Ａは、プロセスカートリッジ１が後述する画像形成装置１００（図８参照）に装着された状態で、開口３０Ａの下に位置する。
【００５０】
オーガスクリュー３２Ｂは、軸線方向において、オーガスクリュー３２Ａが現像フレーム３０内のトナーを搬送する方向とは反対の方向に向かって、現像フレーム３０内のトナーを搬送するように構成される。具体的には、オーガスクリュー３２Ｂは、軸線方向において、トナー受入口２７に近づく方向に向かって、現像フレーム３０内のトナーを搬送するように構成される。オーガスクリュー３２Ｂは、現像フレーム３０内に位置する。オーガスクリュー３２Ｂは、軸線方向に延びる。オーガスクリュー３２Ｂは、移動方向Ｍにおいて、現像ローラ５とオーガスクリュー３２Ａとの間に位置する。オーガスクリュー３２Ｂは、プロセスカートリッジ１が後述する画像形成装置１００（図８参照）に装着された状態で、供給ローラ３１の上に位置する。オーガスクリュー３２Ｂは、プロセスカートリッジ１が後述する画像形成装置１００（図８参照）に装着された状態で、水平方向において、オーガスクリュー３２Ａと並ぶ。
【００５１】
２．３  帯電ローラ２３
帯電ローラ２３は、感光ドラム４の表面を帯電するように構成される。帯電ローラ２３は、感光ドラム４が回転する方向Ｒにおいて、現像ローラ５の上流側、かつ、ドラムクリーナー６の下流側に位置する。帯電ローラ２３は、感光ドラム４の表面に接触する。
【００５２】
２．４  ドラムクリーナー６の詳細
上記したドラムクリーナー６は、現像部２２の移動方向Ｍにおいて、感光ドラム４に対して、現像部２２の反対側に位置する。ドラムクリーナー６は、クリーニングブレード３４と、クリーニングフレーム３５とを備える。
【００５３】
クリーニングブレード３４は、感光ドラム４の表面に接触する。クリーニングブレード３４は、軸線方向に延びる。クリーニングブレード３４は、板形状を有する。感光ドラム４が回転すると、感光ドラム４の表面に付着しているトナーは、クリーニングブレード３４によって、感光ドラム４の表面から除去される。
【００５４】
クリーニングフレーム３５は、クリーニングブレード３４によって感光ドラム４から除去されたトナーを収容する。
【００５５】
２．５  廃トナー搬送管７の詳細
図３に示すように、廃トナー搬送管７は、第１部分７Ａと、第２部分７Ｂとを有する。
【００５６】
第１部分７Ａは、軸線方向において、第１側板２１Ａに対して、感光ドラム４および現像部２２の反対側に位置する。第１部分７Ａは、第１側板２１Ａに沿って延びる。第１部分７Ａは、ドラムクリーナー６に接続される。第１部分７Ａの内部空間は、ドラムクリーナー６の内部空間と通じる。
【００５７】
第２部分７Ｂは、現像部２２の移動方向Ｍ（図２参照）において、現像部２２に対して、感光ドラム４の反対側に位置する。第２部分７Ｂは、第１部分７Ａから、軸線方向に延びる。第２部分７Ｂは、上記した廃トナー排出口８を有する。
【００５８】
廃トナー排出口８は、軸線方向において、第１側板２１Ａと第２側板２１Ｂとの間に位置する。これにより、もし、廃トナー排出口８からトナーが漏れたとしても、漏れたトナーは、第１側板２１Ａと第２側板２１Ｂとの間の連結板２１Ｃの上に落ち、漏れたトナーがプロセスカートリッジ１の周辺を汚すことを、抑制できる。詳しくは、廃トナー排出口８は、軸線方向において、第２側板２１Ｂに対して、第１側板２１Ａの近くに位置する。また、廃トナー排出口８は、トナーカートリッジ３がドラムユニット２に装着され、トナーカートリッジ３が第２位置に位置する状態（図７参照）で、トナー受入口２７よりも下方、かつ、現像部２２とトナー収容室９との間に位置する。
【００５９】
２．６  スクリュー２４
スクリュー２４は、ドラムクリーナー６から廃トナー排出口８に向けてトナーを搬送するように構成される。スクリュー２４は、ドラムクリーナー６および廃トナー搬送管７の内部に位置する。
【００６０】
２．７  第１シャッター２５
図２に示す第１シャッター２５は、廃トナー排出口８を開放する開位置（図７参照）と、廃トナー排出口８を閉鎖する閉位置（図２参照）との間を移動可能である。詳しくは、第１シャッター２５は、開位置と閉位置との間を回動可能である。第１シャッター２５は、トナーカートリッジ３が第１位置に位置するとき（図６参照）に、閉位置に位置する。これにより、廃トナー搬送管７が廃トナー収容室１０と接続していないときに、第１シャッター２５によって廃トナー排出口８を閉鎖し、廃トナー排出口８からトナーが漏れることを抑制できる。また、第１シャッター２５は、トナーカートリッジ３が第２位置に位置するとき（図７参照）に、開位置に位置する。第１シャッター２５は、トナーカートリッジ３が第１位置から第２位置に回動するときに、トナーカートリッジ３と当たることにより、閉位置から開位置へ移動する。これにより、トナーカートリッジ３が第１位置から第２位置に回動する動作を利用して、第１シャッター２５を閉位置から開位置へ移動させて、廃トナー搬送管７と廃トナー収容室１０とを接続することができる。第１シャッター２５は、閉位置に位置する状態で、廃トナー搬送管７の第２部分７Ｂの外周面に沿って延びる。第１シャッター２５は、第２部分７Ｂの周方向において、一端と、他端とを有する。第１シャッター２５が閉位置に位置する状態で、一端は、現像部２２の移動方向Ｍにおいて、他端と現像部２２との間に位置する。また、第１シャッター２５は、回動軸２５Ａと、第１突起２５Ｂと、バネ２５Ｃ（図７参照）とを有する。
【００６１】
回動軸２５Ａは、第１シャッター２５の一端に位置する。回動軸２５Ａは、軸線方向に延びる。第１シャッター２５は、回動軸２５Ａを中心として、開位置と閉位置との間を回動可能である。
【００６２】
第１突起２５Ｂは、第１シャッター２５の他端から突出する。第１突起２５Ｂは、第１シャッター２５が閉位置に位置する状態で、第２部分７Ｂに対して、現像部２２の反対側に位置する。第１突起２５Ｂは、トナーカートリッジ３が第１位置から第２位置に回動するときに、トナーカートリッジ３と当たる。第１突起２５Ｂを設けることにより、トナーカートリッジ３を第１シャッター２５に確実に当てることができる。第１シャッター２５は、トナーカートリッジ３が第１位置から第２位置に回動するときに、第１突起２５Ｂがトナーカートリッジ３と当たることにより、バネ２５Ｃの押圧力に抗して、閉位置から開位置へ移動する。なお、第１突起２５Ｂの形状は、特に限定されない。第１突起２５Ｂの形状は、例えば、円柱、円錐、多角柱、多角錐であってもよい。
【００６３】
図７に示すように、バネ２５Ｃは、開位置に位置する第１シャッター２５を、閉位置に向かって押圧する。これにより、第１シャッター２５は、トナーカートリッジ３が第２位置から第１位置に回動し、トナーカートリッジ３が第１シャッター２５から離れたときに、バネ２５Ｃの押圧力によって、開位置から閉位置へ移動する。また、バネ２５Ｃは、トナーカートリッジ３が第１シャッター２５と当たっていない状態で、閉位置に位置する第１シャッター２５を、閉位置に保つように押圧する。具体的には、バネ２５Ｃは、トーションばねである。
【００６４】
３．トナーカートリッジ３の詳細
図４および図５を参照して、上記したトナーカートリッジ３の詳細について説明する。
【００６５】
図４に示すように、トナーカートリッジ３は、上記したトナー収容室９と、接続部４１と、上記した廃トナー収容室１０と、第２シャッター４２とを備える。
【００６６】
３．１  トナー収容室９の詳細
トナー収容室９は、第１収容室９Ａと、第１アジテータ９Ｂと、第２収容室９Ｃと、第２アジテータ９Ｄとを備える。
【００６７】
第１収容室９Ａは、軸線方向に延びる。第１収容室９Ａは、現像ローラ５に供給されるトナーを収容する。
【００６８】
第１アジテータ９Ｂは、第１収容室９Ａ内のトナーを撹拌するとともに、第１収容室９Ａ内のトナーを第２収容室９Ｃに向かって搬送するように構成される。第１アジテータ９Ｂは、第１収容室９Ａ内に位置する。第１アジテータ９Ｂは、軸線方向に延びる回転軸について回転可能である。
【００６９】
第２収容室９Ｃは、第１アジテータ９Ｂによって第１収容室９Ａから搬送されたトナーを収容する。第２収容室９Ｃは、第１収容室９Ａと接続部４１との間に位置する。第２収容室９Ｃは、プロセスカートリッジ１が後述する画像形成装置１００（図８参照）に装着された状態で、廃トナー収容室１０の上方に位置する。第２収容室９Ｃは、軸線方向に延びる。第２収容室９Ｃの内部空間は、第１収容室９Ａの内部空間と通じる。第２収容室９Ｃの容積は、第１収容室９Ａの容積よりも小さい。
【００７０】
第２アジテータ９Ｄは、第２収容室９Ｃ内のトナーを接続部４１に向かって搬送するように構成される。第２アジテータ９Ｄは、第２収容室９Ｃ内に位置する。第２アジテータ９Ｄは、軸線方向に延びる回転軸について回転可能である。
【００７１】
３．２  接続部４１
接続部４１は、トナーカートリッジ３がドラムユニット２に装着されたときに、ドラムユニット２の接続部２６（図７参照）と接続する。これにより、接続部４１は、トナーカートリッジ３がドラムユニット２に装着されたときに、接続部２６を介して、現像部２２と接続する。接続部４１は、トナー収容室９から突出する。接続部４１は、円筒部４３と、連結管４４と、シャッター４５と、第１ボス４７Ａ（図５参照）と、第２ボス４７Ｂ（図５参照）と、第３ボス４７Ｃ（図５参照）と、第４ボス４７Ｄ（図５参照）と、第１リブ４８Ａ（図５参照）と、第２リブ４８Ｂ（図５参照）とを備える。
【００７２】
３．２．１  円筒部４３
円筒部４３は、接続部４１が接続部２６に接続された状態で、ドラムユニット２の円弧壁２６Ａ（図７参照）に接触する。円筒部４３は、軸線方向に延びる。円筒部４３は、トナー排出口４３Ａを有する。すなわち、トナーカートリッジ３は、トナー排出口４３Ａを有する。
【００７３】
トナー排出口４３Ａは、接続部４１内のトナーを排出可能である。トナー排出口４３Ａは、接続部４１の内部空間に通じる。また、トナー排出口４３Ａは、トナーカートリッジ３がドラムユニット２に装着され、トナーカートリッジ３が第２位置に位置する状態で、ドラムユニット２のトナー受入口２７（図７参照）と通じる。これにより、現像部２２の内部空間とトナー収容室９の内部空間とは、トナーカートリッジ３がドラムユニット２に装着され、トナーカートリッジ３が第２位置に位置しているときに、トナー受入口２７とトナー排出口４３Ａとを介して通じる。これにより、接続部４１を利用して、トナーカートリッジ３から現像部２２にトナーを供給することができる。
【００７４】
３．２．２  連結管４４
連結管４４は、円筒部４３とトナー収容室９とを連結する。詳しくは、連結管４４は、円筒部４３と第２収容室９Ｃとを連結する。連結管４４は、円筒部４３と第２収容室９Ｃとの間に位置する。連結管４４の内部空間は、円筒部４３の内部空間と通じる。また、連結管４４の内部空間は、第２収容室９Ｃの内部空間と通じる。第２アジテータ９Ｄによって搬送されたトナーは、円筒部４３に向かって、連結管４４の内部空間を通過する。
【００７５】
３．２．３  シャッター４５
シャッター４５は、トナー排出口４３Ａを開放する開位置（図７参照）と、トナー排出口４３Ａを閉鎖する閉位置（図４参照）との間を、円筒部４３に対して移動可能である。シャッター４５は、円筒部４３の内部に位置する。シャッター４５は、円筒形状を有する。シャッター４５は、軸線方向に延びる。シャッター４５は、円筒部４３に対して回転可能である。シャッター４５は、第１開口４５Ａと第２開口４５Ｂとを有する。
【００７６】
第１開口４５Ａは、シャッター４５が開位置に位置するときに、円筒部４３の径方向において、トナー排出口４３Ａと重なる。これにより、第１開口４５Ａは、シャッター４５が開位置に位置するときに、トナー排出口４３Ａと通じる。なお、シャッター４５が閉位置に位置するとき、第１開口４５Ａは、シャッター４５の回転方向において、トナー排出口４３Ａと異なる位置に位置する。これにより、第１開口４５Ａは、シャッター４５が閉位置に位置するときに、トナー排出口４３Ａと通じない。また、シャッター４５が閉位置に位置するとき、シャッター４５の外周面は、トナー排出口４３Ａを閉鎖する。
【００７７】
第２開口４５Ｂは、シャッター４５が開位置に位置するときに、円筒部４３の径方向において、連結管４４の内部空間と重なる。これにより、第２開口４５Ｂは、シャッター４５が開位置に位置するときに、連結管４４の内部空間と通じる。
【００７８】
３．２．４  第１ボス４７Ａ、第２ボス４７Ｂ、第３ボス４７Ｃおよび第４ボス４７Ｄ
図５に示すように、第１ボス４７Ａは、軸線方向において、円筒部４３から突出する。第１ボス４７Ａは、トナーカートリッジ３がドラムユニット２に装着されたときに、第１溝２９Ａ（図２参照）に嵌まる。
【００７９】
第２ボス４７Ｂは、軸線方向において、円筒部４３から突出する。第２ボス４７Ｂは、トナーカートリッジ３がドラムユニット２に装着されたときに、第２溝２９Ｂ（図２参照）に嵌まる。第２ボス４７Ｂは、第１ボス４７Ａとトナー収容室９との間に位置する。第２ボス４７Ｂは、第１ボス４７Ａと間隔を隔てて位置する。
【００８０】
第３ボス４７Ｃは、軸線方向において、円筒部４３に対して、第１ボス４７Ａの反対側に位置する。第３ボス４７Ｃは、軸線方向において、円筒部４３から突出する。第３ボス４７Ｃは、トナーカートリッジ３がドラムユニット２に装着されたときに、ドラムユニット２の図示しない第２回転部の第３溝に嵌まる。
【００８１】
第４ボス４７Ｄは、軸線方向において、円筒部４３に対して、第２ボス４７Ｂの反対側に位置する。第４ボス４７Ｄは、軸線方向において、円筒部４３から突出する。第４ボス４７Ｄは、トナーカートリッジ３がドラムユニット２に装着されたときに、ドラムユニット２の図示しない第２回転部の第４溝に嵌まる。第４ボス４７Ｄは、第３ボス４７Ｃとトナー収容室９との間に位置する。第４ボス４７Ｄは、第３ボス４７Ｃと間隔を隔てて位置する。
【００８２】
３．２．５  第１リブ４８Ａおよび第２リブ４８Ｂ
第１リブ４８Ａは、トナーカートリッジ３がドラムユニット２に装着され、トナーカートリッジ３が第１位置に位置する状態で、第１固定部２６Ｂの溝２８（図２参照）に嵌まる。第１リブ４８Ａは、第１ボス４７Ａと第２ボス４７Ｂとの間に位置する。第１リブ４８Ａは、軸線方向において、シャッター４５（図４参照）から突出する。第１リブ４８Ａは、シャッター４５の径方向に延びる。
【００８３】
第２リブ４８Ｂは、トナーカートリッジ３がドラムユニット２に装着され、トナーカートリッジ３が第１位置に位置する状態で、図示しない第２固定部の溝に嵌まる。第２リブ４８Ｂは、軸線方向において、シャッター４５に対して、第１リブ４８Ａの反対側に位置する。第２リブ４８Ｂは、第３ボス４７Ｃと第４ボス４７Ｄとの間に位置する。第２リブ４８Ｂは、軸線方向において、シャッター４５から突出する。第２リブ４８Ｂは、シャッター４５の径方向に延びる。
【００８４】
３．３  廃トナー収容室１０の詳細
図４に示す廃トナー収容室１０は、トナーカートリッジ３がドラムユニット２に装着され、トナーカートリッジ３が第２位置に位置するときに、第２収容室９Ｃの下方、かつ、現像部２２（図７参照）と第１収容室９Ａとの間に位置する。廃トナー収容室１０は、上記した廃トナー受入口１１を有する。また、廃トナー収容室１０は、シール部材４９と、スクリュー５０とを備える。
【００８５】
廃トナー受入口１１は、廃トナー収容室１０の周壁に設けられる。トナーカートリッジ３がドラムユニット２に装着されている状態において、トナーカートリッジ３の回動中心Ｃから廃トナー受入口１１までの距離Ｄ１（図７参照）は、回動中心Ｃから廃トナー排出口８までの距離Ｄ２（図７参照）よりも長い。これにより、トナーカートリッジ３をドラムユニット２に装着するときに、廃トナー受入口１１を廃トナー排出口８の下に円滑に位置させて、廃トナー受入口１１と廃トナー排出口８とを向かい合わせることができる。
【００８６】
シール部材４９は、廃トナー受入口１１の周囲に位置する。シール部材４９は、第２シャッター４２が閉位置に位置するときに、第２シャッター４２と廃トナー収容室１０との間に介在される。これにより、シール部材４９は、第２シャッター４２が閉位置に位置するときに、第２シャッター４２と廃トナー収容室１０との間をシールする。また、シール部材４９は、トナーカートリッジ３がドラムユニット２に装着され、トナーカートリッジ３が第２位置に位置するときに、廃トナー搬送管７（図７参照）と廃トナー収容室１０との間に介在される。シール部材４９は、トナーカートリッジ３がドラムユニット２に装着され、トナーカートリッジ３が第２位置に位置するときに、廃トナー搬送管７と廃トナー収容室１０との間をシールする。シール部材４９は、スポンジからなる。
【００８７】
スクリュー５０は、廃トナー収容室１０内のトナーを軸線方向に搬送するように構成される。スクリュー５０は、廃トナー収容室１０の内部空間内に位置する。スクリュー５０は、軸線方向に延びる。
【００８８】
３．４  第２シャッター４２
図４に示す第２シャッター４２は、廃トナー受入口１１を開放する開位置（図７参照）と、廃トナー受入口１１を閉鎖する閉位置（図４参照）との間を移動可能である。詳しくは、第２シャッター４２は、開位置と閉位置との間を回動可能である。
【００８９】
第２シャッター４２は、トナーカートリッジ３が第１位置に位置するときに、閉位置に位置する。これにより、廃トナー搬送管７が廃トナー収容室１０と接続していないときに、第２シャッター４２によって廃トナー受入口１１を閉鎖し、廃トナー収容室１０内のトナーが廃トナー受入口１１から漏れることを抑制できる。第２シャッター４２は、トナーカートリッジ３が第２位置に位置するときに、開位置に位置する。第２シャッター４２は、トナーカートリッジ３が第１位置から第２位置に回動するときに、廃トナー搬送管７（図７参照）と当たることにより、閉位置から開位置へ移動する。これにより、トナーカートリッジ３が第１位置から第２位置に回動する動作を利用して、第２シャッター４２を閉位置から開位置へ移動させて、廃トナー搬送管７と廃トナー収容室１０とを接続することができる。第２シャッター４２は、閉位置に位置する状態で、廃トナー収容室１０の周壁に沿って延びる。第２シャッター４２は、一端と、他端とを有する。第２シャッター４２が閉位置に位置する状態で、一端は、他端と第１収容室９Ａとの間に位置する。また、第２シャッター４２は、回動軸４２Ａと、第２突起４２Ｂと、バネ４２Ｃとを有する。
【００９０】
回動軸４２Ａは、第２シャッター４２の一端に位置する。回動軸４２Ａは、軸線方向に延びる。第２シャッター４２は、回動軸４２Ａを中心として、開位置と閉位置との間を回動可能である。
【００９１】
第２突起４２Ｂは、第２シャッター４２の他端から突出する。第２突起４２Ｂは、トナーカートリッジ３が第１位置から第２位置に回動するときに、廃トナー搬送管７（図７参照）と当たる。第２突起４２Ｂを設けることにより、第２シャッター４２を廃トナー搬送管７に確実に当てることができる。第２シャッター４２は、トナーカートリッジ３が第１位置から第２位置に回動するときに、第２突起４２Ｂが廃トナー搬送管７と当たることにより、バネ４２Ｃの押圧力に抗して、閉位置から開位置へ移動する。なお、第２突起４２Ｂの形状は、特に限定されない。第２突起４２Ｂの形状は、例えば、円柱、円錐、多角柱、多角錐であってもよい。
【００９２】
バネ４２Ｃは、開位置に位置する第２シャッター４２を、閉位置に向かって押圧する。これにより、第２シャッター４２は、トナーカートリッジ３が第２位置から第１位置に回動し、第２シャッター４２が廃トナー搬送管７から離れたときに、バネ４２Ｃの押圧力によって、開位置から閉位置へ移動する。また、バネ４２Ｃは、第２シャッター４２が廃トナー搬送管７と当たっていない状態で、閉位置に位置する第２シャッター４２を、閉位置に保つように押圧する。具体的には、バネ４２Ｃは、トーションばねである。
【００９３】
４．ドラムユニット２に対するトナーカートリッジ３の装着
次いで、図６および図７を参照して、ドラムユニット２に対するトナーカートリッジ３の装着動作について説明する。
【００９４】
トナーカートリッジ３をドラムユニット２に装着するには、ユーザーは、まず、図６に示すように、トナーカートリッジ３の接続部４１を、ドラムユニット２の接続部２６に嵌める。
【００９５】
すると、第１ボス４７Ａ（図５参照）が、第１溝２９Ａ（図２参照）に嵌まり、第２ボス４７Ｂ（図５参照）が、第２溝２９Ｂ（図２参照）に嵌まり、第３ボス４７Ｃ（図５参照）が、図示しない第３溝に嵌まり、第４ボス４７Ｄ（図５参照）が、図示しない第４溝に嵌まることにより、シャッター２６Ｄが、第１回転部２６Ｃ（図２参照）および図示しない第２回転部とともに、円筒部４３に対して固定される。
【００９６】
また、第１リブ４８Ａ（図５参照）が、第１固定部２６Ｂの溝２８（図２参照）に嵌まり、第２リブ４８Ｂ（図５参照）が、図示しない第２固定部の溝に嵌まることにより、シャッター４５が、第１固定部２６Ｂ（図２参照）および図示しない第２固定部に対して固定される。これにより、シャッター４５は、ドラムユニット２に対して回転不可能となる。
【００９７】
次いで、ユーザーは、トナーカートリッジ３を第１位置から第２位置へ向かって回動させる。
【００９８】
すると、トナーカートリッジ３は、回動中心Ｃを中心として、第１位置から第２位置へ向かって回動する。このとき、シャッター２６Ｄは、トナーカートリッジ３とともに回動し、閉位置から開位置に向かって移動する。また、シャッター４５は、シャッター４５に対して円筒部４３が回転することにより、円筒部４３に対して相対的に、閉位置から開位置に向かって移動する。
【００９９】
また、このとき、トナーカートリッジ３の廃トナー収容室１０が第１シャッター２５の第１突起２５Ｂに当たることにより、第１シャッター２５が、閉位置から開位置に向かって移動する。また、第２シャッター４２の第２突起４２Ｂが廃トナー搬送管７の第２部分７Ｂに当たることにより、第２シャッター４２が、閉位置から開位置に向かって移動する。
【０１００】
その後、図７に示すように、トナーカートリッジ３が第２位置に位置すると、シャッター２６Ｄが開位置に位置するとともに、シャッター４５が開位置に位置し、シャッター４５の内部空間と現像部２２の内部空間とが、第１開口４５Ａ、トナー排出口４３Ａ、トナー受入口２７および開口３０Ａを介して通じる。また、シャッター４５の内部空間と連結管４４の内部空間とが、第２開口４５Ｂを介して通じる。また、廃トナー排出口８と廃トナー受入口１１とが近接し、廃トナー収容室１０の内部空間と廃トナー搬送管７の内部空間とが、廃トナー排出口８と廃トナー受入口１１とを介して通じる。
【０１０１】
これにより、ドラムユニット２に対するトナーカートリッジ３の装着が完了する。
【０１０２】
５．作用効果
プロセスカートリッジ１によれば、図６および図７に示すように、ユーザーは、トナーカートリッジ３をドラムユニット２に装着した状態で、トナーカートリッジ３をドラムユニット２に対して回動させて、廃トナー搬送管７と廃トナー収容室１０とを接続することができる。
【０１０３】
そのため、ドラムユニット２に対するトナーカートリッジ３の回動中心を固定した状態で、廃トナー搬送管７と廃トナー収容室１０とを容易に位置合わせすることができる。
【０１０４】
その結果、トナーカートリッジ３をドラムユニット２に容易に装着できる。
【０１０５】
６．プロセスカートリッジ１の使用態様
図８を参照して、プロセスカートリッジ１の使用態様について説明する。
【０１０６】
上記したプロセスカートリッジ１は、図８に示すように、画像形成装置１００に装着される。プロセスカートリッジ１は、画像形成装置１００に対して着脱可能である。
【０１０７】
なお、画像形成装置１００は、レーザースキャンユニット１０１と、転写ローラ１０２と、定着器１０３と、給紙部１０４と、給紙トレイ１０５と、排紙トレイ１０６とを備える。レーザースキャンユニット１０１は、感光ドラム４の表面を露光するように構成される。転写ローラ１０２は、感光ドラム４の周面に形成されたトナー像を用紙に転写するように構成される。転写ローラ１０２は、感光ドラム４の周面に接触する。定着器１０３は、トナー像が転写された用紙を加熱および加圧して、用紙にトナー像を定着させるように構成される。給紙部１０４は、給紙トレイ１０５内の用紙を、感光ドラム４と転写ローラ１０２との間に供給するように構成される。給紙トレイ１０５は、用紙を収容するように構成される。排紙トレイ１０６は、定着器１０３を通過した用紙が排紙されるように構成される。
【０１０８】
７．第２実施形態
以下、図９から図１１を参照して、第２実施形態について説明する。なお、以下の第２実施形態において、上記した第１実施形態と同様の部材には同様の符号を付し、その説明を省略する。
【０１０９】
７．１  ドラムユニット２の接続部６１
上記した第１実施形態では、トナー受入口２７を有する接続部２６は、軸線方向において、第２側板２１Ｂに対して、第１側板２１Ａの近くに位置しているが、図９Ａに示すように、トナー受入口６２を有する接続部６１は、軸線方向において、第１側板２１Ａに対して、第２側板２１Ｂの近くに位置してもよい。すなわち、トナー受入口６２は、軸線方向において、第１側板２１Ａに対して、第２側板２１Ｂの近くに位置してもよい。なお、接続部６１は、トナー受入口６２を開放する開位置（図１０Ｂ参照）と、トナー受入口６２を閉鎖する閉位置（図１０Ａ参照）との間を移動可能なシャッター６４を備える。シャッター６４は、穴６４Ａを有する。穴６４Ａには、トナーカートリッジ３がドラムユニット２に装着され、トナーカートリッジ３が第１位置に位置する状態で、後述する円筒部７３の突起７３Ｂが嵌まる。
【０１１０】
また、上記した第１実施形態では、接続部２６は、フレーム２１に設けられているが、図９Ａに示すように、接続部６１は、現像部２２に設けられてもよい。すなわち、トナー受入口６２は、現像部２２に設けられてもよい。この場合、現像フレーム３０は、トナーカートリッジ３が装着される装着部６３を備える。図１０Ｂに示すように、装着部６３は、現像部２２とともに、感光ドラム４およびフレーム２１に対して移動可能である。すなわち、トナーカートリッジ３がドラムユニット２に装着された状態で、トナーカートリッジ３は、現像部２２に対して移動不可能であり、かつ、現像部２２とともに、感光ドラム４およびフレーム２１に対して移動可能である。
【０１１１】
すなわち、トナーカートリッジ３は、現像部２２とともに、廃トナー搬送管７に対して移動可能である。トナーカートリッジ３の移動距離は、１ミリメートル程度である。このため、トナーカートリッジ３が廃トナー搬送管７に対して移動すると、廃トナー受入口１１は、廃トナー排出口８に対して、移動方向Ｍに１ミリメートル程度、移動する。ここで、スポンジからなるシール部材４９（図１０Ｂ参照）は、トナーカートリッジ３が廃トナー搬送管７に対して移動したときに、トナーカートリッジ３の移動に追従して、廃トナー搬送管７と廃トナー収容室１０との間をシールした状態で変形する。これにより、トナーカートリッジ３が廃トナー搬送管７に対して移動したときに、廃トナー排出口８と廃トナー受入口１１との隙間からのトナー漏れを抑制できる。
【０１１２】
また、廃トナー排出口８および廃トナー受入口１１は、移動方向Ｍに延びる辺を有している。そのため、現像部２２およびトナーカートリッジ３の移動を阻害しない。言い換えると、廃トナー排出口８と廃トナー受入口１１とが重なる方向は、移動方向Ｍとほぼ直交しており、現像部２２およびトナーカートリッジ３の移動を阻害しない。
【０１１３】
７．２  トナーカートリッジ３の接続部７１
図９Ｂに示すように、第２実施形態の接続部７１は、円筒部７３と、シャッター７４と、オーガスクリュー７２とを有する。
【０１１４】
７．２．１  円筒部７３
円筒部７３は、軸線方向に延びる。円筒部７３は、第２収容室９Ｃと接続する。円筒部７３は、トナー排出口７３Ａを有する。トナー排出口７３Ａは、トナーカートリッジ３がドラムユニット２に装着された状態で、軸線方向において、第１側板２１Ａに対して、第２側板２１Ｂの近くに位置する。円筒部７３は、図１０Ａに示すように、突起７３Ｂを有する。突起７３Ｂは、トナーカートリッジ３がドラムユニット２に装着され、トナーカートリッジ３が第１位置に位置する状態で、シャッター６４の穴６４Ａに嵌まる。これにより、トナーカートリッジ３がドラムユニット２に装着され、トナーカートリッジ３が第１位置に位置する状態で、シャッター６４は、円筒部７３に固定される。
【０１１５】
７．２．２  シャッター７４
シャッター７４は、図１０Ａおよび図１０Ｂに示すように、トナー排出口７３Ａを開放する開位置（図１０Ｂ参照）と、トナー排出口７３Ａを閉鎖する閉位置（図１０Ａ参照）との間を、円筒部７３に対して移動可能である。詳しくは、シャッター７４は、開位置と閉位置との間を、円筒部７３に対して回転可能である。シャッター７４は、トナーカートリッジ３がドラムユニット２に装着された状態で、軸線方向において、第１側板２１Ａに対して、第２側板２１Ｂの近くに位置する。シャッター７４は、円筒部７３の径方向において、円筒部７３の外側に位置する。シャッター７４は、軸線方向に延びる。シャッター７４は、円筒形状を有する。シャッター７４は、突起７４Ａと、突起７４Ｂと、開口７４Ｃとを有する。
【０１１６】
突起７４Ａは、トナーカートリッジ３がドラムユニット２に装着され、トナーカートリッジ３が第１位置から第２位置に移動するときに、接続部６１の円弧部６１Ａの一端Ｅ１に当たる。これにより、トナーカートリッジ３がドラムユニット２に装着され、トナーカートリッジ３が第１位置から第２位置に移動するときに、シャッター７４は、接続部６１に対して固定される。
【０１１７】
突起７４Ｂは、トナーカートリッジ３がドラムユニット２に装着され、トナーカートリッジ３が第２位置から第１位置に移動するときに、接続部６１の円弧部６１Ａの他端Ｅ２に当たる。これにより、トナーカートリッジ３がドラムユニット２に装着され、トナーカートリッジ３が第２位置から第１位置に移動するときに、シャッター７４は、接続部６１に対して固定される。
【０１１８】
開口７４Ｃは、シャッター７４が開位置に位置するときに、円筒部７３の径方向において、トナー排出口７３Ａと重なる。これにより、円筒部７３の内部空間と現像部２２の内部空間とが、トナー排出口７３Ａ、開口７４Ｃおよびトナー受入口６２を介して通じる。なお、シャッター７４が閉位置に位置するとき、開口７４Ｃは、シャッター７４の回転方向において、トナー排出口７３Ａと異なる位置に位置する。これにより、シャッター７４が閉位置に位置するときに、円筒部７３の内部空間と現像部２２の内部空間とは、通じない。また、シャッター７４が閉位置に位置するとき、シャッター７４の内周面は、トナー排出口７３Ａを閉鎖する。
【０１１９】
７．２．３  オーガスクリュー７２
図９Ｂに示すように、オーガスクリュー７２は、第２アジテータ９Ｄによって円筒部７３に搬送されたトナーを、トナー排出口７３Ａに向かって搬送する。オーガスクリュー７２は、円筒部７３の内部に位置する。オーガスクリュー７２は、軸線方向に延びる。オーガスクリュー７２は、少なくとも、トナー排出口７３Ａまで延びる。
【０１２０】
７．３  第１シャッター８１
図１１Ａおよび図１１Ｂに示すように、第２実施形態の第１シャッター８１は、廃トナー排出口８を開放する開位置（図１１Ｂ参照）と、廃トナー排出口８を閉鎖する閉位置（図１１Ａ参照）との間を回転可能である。第１シャッター８１は、筒部８２と、第１突起８３とを有する。
【０１２１】
筒部８２は、廃トナー搬送管７の第２部分７Ｂの径方向において、第２部分７Ｂの外側に位置する。筒部８２は、軸線方向に延びる。筒部８２は、円筒形状を有する。筒部８２は、開口８２Ａを有する。
【０１２２】
開口８２Ａは、第１シャッター８１が開位置に位置するときに、第２部分７Ｂの径方向において、廃トナー排出口８と重なる。これにより、トナーカートリッジ３がドラムユニット２に装着され、トナーカートリッジ３が第２位置に位置した状態で、廃トナー搬送管７の内部空間と廃トナー収容室１０の内部空間とは、廃トナー排出口８および開口８２Ａを介して通じる。
【０１２３】
また、第１シャッター８１が閉位置に位置するとき、開口８２Ａは、第１シャッター８１の回転方向において、廃トナー排出口８と異なる位置に位置する。これにより、トナーカートリッジ３が第２位置から第１位置に移動したとき、廃トナー搬送管７の内部空間と廃トナー収容室１０の内部空間とは、通じない。また、第１シャッター８１が閉位置に位置するとき、第１シャッター８１の内周面は、廃トナー排出口８を閉鎖する。
【０１２４】
第１突起８３は、筒部８２から突出する。第１突起８３は、トナーカートリッジ３が第１位置から第２位置に回動するときに、トナーカートリッジ３と当たる。第１シャッター８１は、トナーカートリッジ３が第１位置から第２位置に回動するときに、第１突起８３がトナーカートリッジ３と当たることにより、閉位置から開位置へ移動する。なお、第１突起８３の形状は、特に限定されない。第１突起８３の形状は、例えば、円柱、円錐、多角柱、多角錐であってもよい。
【符号の説明】
【０１２５】
１      プロセスカートリッジ
２      ドラムユニット
３      トナーカートリッジ
４      感光ドラム
５      現像ローラ
６      ドラムクリーナー
７      廃トナー搬送管
８      廃トナー排出口
９      トナー収容室
１０    廃トナー収容室
１１    廃トナー受入口
２１    フレーム
２１Ａ  第１側板
２１Ｂ  第２側板
２２    現像部
２５    第１シャッター
２５Ｂ  第１突起
２７    トナー受入口
４１    接続部
４２    第２シャッター
４２Ｂ  第２突起
６２    トナー受入口
７１    接続部
８１    第１シャッター
８２    筒部
８２Ａ  開口
８３    第１突起
Ｃ      回動中心
Ｄ１    距離
Ｄ２    距離
【図１】
2019008064.tif 000003
【図２】
2019008064.tif 000004
【図３】
2019008064.tif 000005
【図４】
2019008064.tif 000006
【図５】
2019008064.tif 000007
【図６】
2019008064.tif 000008
【図７】
2019008064.tif 000009
【図８】
2019008064.tif 000010
【図９】
2019008064.tif 000011
【図１０】
2019008064.tif 000012
【図１１】
2019008064.tif 000013